(57)【要約】【課題】左右の噴口部材の位置（高さ）をそれぞれの樹高に合わせて高さ調節できるようにすることにより、本機の左右両側において均等な噴霧が行え，ひいては全体として均一な噴霧が行えるお茶栽培用防除機を得る。【解決手段】お茶栽培において樹間を走行してお茶の防除を行うものであって、自走式の台車１と、この台車１に載置したタンク３と、このタンク３内の防除液を噴口部材７に送るポンプと、台車１に設けた左右二本の支柱５と、この各支柱５にそれぞれ昇降可能に嵌合されかつ側方に向かってそれぞれ延びる左右アーム６と、この左右アーム６にそれぞれ設けた噴口部材７と、台車１上にあって左右アーム６をそれぞれ個々に昇降させる操作レバーとを備えてなる。【選択図】　　　　図２
2004057023.tif 000002
【特許請求の範囲】
【請求項１】
お茶栽培において樹間を走行してお茶の防除を行うものであって、自走式の台車と、この台車に載置したタンクと、このタンク内の防除液を後記する噴口部材に送るポンプと、前記台車に設けた左右二本の支柱と、この各支柱にそれぞれ昇降可能に嵌合されかつ側方に向かってそれぞれ延びる左右アームと、この左右アームにそれぞれ設けた噴口部材と、前記台車上にあって前記左右アームをそれぞれ個々に昇降させる操作レバーとを備えたことを特徴とするお茶栽培用防除機。
【請求項２】
左右アームを根元の部分でそれぞれ水平方向に旋回可能として、側方に突出した使用位置から台車の側面に折り畳めるようにしたことを特徴とする請求項１記載のお茶栽培用防除機。
【請求項３】
操作レバーの手元操作により、左右アームの高さ調節とその位置での折り畳みとを可能にしたことを特徴とする請求項２記載のお茶栽培用防除機。
【請求項４】
左右アームに対する各噴口部材のそれぞれの取付位置を、アーム長手方向に沿って変更調節できるようにしたことを特徴とする請求項１〜３記載のいずれかのお茶栽培用防除機。
【発明の詳細な説明】
【０００１】
【発明の属する技術分野】
この発明は、お茶栽培において樹間を走行してお茶の防除を行うのに使用するお茶栽培用防除機に関するものである。
【０００２】
【発明が解決しようとする課題】
お茶の栽培は傾斜地が多く、その防除作業も当然の如く傾斜地で行われることになる。従って、傾斜面に対して横切る方向に樹間に沿って走行しながら、その左右両側（山側，谷側）でそれぞれ下向きに防除液を噴霧すると、左右両側において樹高が異なるためにその噴口までの間隔が左右均等（山側が小さく，谷側が大きく）にならず、左右両側においてその噴霧状態が異なり、全体として均一な噴霧が行えないという問題点がある。
【０００３】
【課題を解決するための手段】
請求項１の発明に係るお茶栽培用防除機はかかる問題点を解消するためになされたもので、左右の噴口部材の位置（高さ）をそれぞれの樹高に合わせて高さ調節できるようにすることにより、本機の左右両側において均等な噴霧が行え，ひいては全体として均一な噴霧が行える。
【０００４】
また、請求項２の発明に係るお茶栽培用防除機は、左右側方に突出する左右アームをそれぞれ台車の側面に折り畳めるようにすることにより、本機がＵターンするときや本機を運搬するときには小回りがきくし，格納時にも場所を取らない。
【０００５】
さらに、請求項３の発明に係るお茶栽培用防除機は、操作レバーの手元操作により左右アームの高さ調節とその位置での折り畳みを可能とすることにより、左右アームの高さ調節とその位置での折り畳みが操作レバーの手元操作により行え、作業性が良くなる。
【０００６】
また、請求項４の発明に係るお茶栽培用防除機は、左右アームに対する各噴口部材のそれぞれの取付位置をアーム長手方向に沿って変更調節できるようにすることにより、樹間のピッチに合わせて無駄なくより効果的な噴霧が行える。
【０００７】
【発明の実施の形態】
この発明の一実施の形態を図１，図２について説明する。図１は本機を正面側からみた斜視図、図２は本機の作業状態を示す図である。
【０００８】
図において、１はキャタピラ２により自走する台車で、タンク３とこのタンク３内の防除液を後記する噴口部材に送るポンプ（カバー４で隠れている）とこのポンプを駆動するエンジン（カバー４で隠れている）とを搭載している。５は台車１の前方に立設した左右二本の支柱、６は各支柱５，５にそれぞれ昇降可能に嵌合されかつ側方に向かってそれぞれ延びると共に根元の部分でそれぞれ水平方向に折り畳める機能を有している左右アーム、７は左右アーム６，６にそれぞれその長手方向に取付位置変更可能状態で取り付けられかつ複数の噴口（図面では３個）を有する噴口部材、８は台車１のハンドル９付近に設けた操作レバーで、左右別々に左右アーム６，６の昇降用レバー８ａと折畳み用レバー８ｂとを有している。
【０００９】
樹間を走行してお茶の防除を行う場合、本機は傾斜面１０に対して横切る方向に樹間の道１１を走行するので、図２に示すように本機の左右両側（山側，谷側）において樹高が異なるようになる。そのために手元の各昇降用レバー８ａを操作して山側の左右アーム６は上昇させ，谷側の左右アーム６は降下させることにより、それぞれ噴口部材７との間隔を左右均等なものとする。こうしておいてから道１１を走行しながら噴霧すると、エンジンにより駆動されるポンプによりタンク３からの防除液は、左右アーム６，６の各噴口部材７，７から左右均一に噴霧される。
【００１０】
そして、Ｕターン時には噴霧を停止して、手元の各折畳み用レバー８ｂを操作して左右アーム６をそのままの位置で台車１の側面に折り畳んでからＵターンすると、左右アーム６，６が邪魔にならず、狭いところでもＵターンが容易にできる。
【００１１】
例えばＵターンによって道１１が変わって樹間のピッチが変わったために、左右アーム６，６の左右の噴口部材７，７の位置が左右にズレたような場合には、左右の噴口部材７，７を左右アーム６，６に対してその長手方向に位置変更して、樹間のピッチに合わせると、無駄のない効果的な噴霧となる。勿論、左右アーム６，６の高さ調節は前記と同様に行うものとする。
なお、本機の運搬，格納時には、左右アーム６，６を折り畳んでおけば良いことは勿論である。
【００１２】
【発明の効果】
以上のように、請求項１の発明によれば左右の噴口部材の位置（高さ）をそれぞれの樹高に合わせて高さ調節できるようにしたので、本機の左右両側において均等な噴霧が行え，ひいては全体として均一な噴霧が行えるという効果が得られる。
【００１３】
また、請求項２の発明によれば左右側方に突出する左右アームをそれぞれ台車の側面に折り畳めるようにしたので、本機がＵターンするときや本機を運搬するときには小回りがきくし，格納時にも場所を取らないという効果が得られる。
【００１４】
さらに、請求項３の発明によれば操作レバーの手元操作により左右アームの高さ調節とその位置での折り畳みを可能としたので、左右アームの高さ調節とその位置での折り畳みが操作レバーの手元操作により行え、作業性が良くなるという効果が得られる。
【００１５】
また、請求項４の発明によれば左右アームに対する各噴口部材のそれぞれの取付位置をアーム長手方向に沿って変更調節できるようにしたので、樹間のピッチに合わせて無駄なくより効果的な噴霧が行えるという効果が得られる。
【図面の簡単な説明】
【図１】この発明の一実施の形態を示す本機の斜視図である。
【図２】本機の作業状態を示す図である。
【符号の説明】
１　　台車
３　　タンク
５　　支柱
６　　左右アーム
７　　噴口部材
８　　操作レバー
１０　傾斜面
【図１】
2004057023.tif 000003
【図２】
2004057023.tif 000004